(57)【要約】【課題】製造コストを低減できる光送信モジュールを提供すること。【解決手段】光送信モジュール１は、波長選択フィルタ９１を備え、波長選択フィルタ９１は、入射面９１ａと出射面９１ｂと側面９１ｃと側面９１ｄとを備える。側面９１ｃと側面９１ｄとは、入射面９１ａから出射面９１ｂに延びている。側面９１ｃと側面９１ｄとは、入射面９１ａから入射し入射面９１ａにおいて屈折する光信号Ｓ１ａの屈折方向に沿って、延びている。【選択図】図１
2014150224.tif 000002
【特許請求の範囲】
【請求項１】
光源と波長選択フィルタとを備え、
前記光源と前記波長選択フィルタとは、基板の実装面に設けられ、
前記光源と前記波長選択フィルタとは、基準軸に沿って設けられ、
前記基準軸は、前記実装面に平行に、前記基板の第１の端部から第２の端部に延びており、
前記光源は、前記基準軸に沿って光信号を出射し、
前記波長選択フィルタは、入射面と出射面と第１の側面と第２の側面とを備え、
前記波長選択フィルタは、前記光信号の波長を含み予め設定された波長範囲にある波長の光を透過し、
前記波長選択フィルタは、前記光源から前記光信号を受けると、前記光信号を前記基準軸に沿って出射し、
前記入射面は、第１の端と第２の端とを備え、
前記入射面は、前記実装面に垂直であり、
前記入射面は、前記基準軸に垂直な面から傾斜し、
前記入射面は、前記光信号を受け、
前記出射面は、第３の端と第４の端とを備え、
前記出射面は、前記入射面に沿って延び、
前記出射面は、前記波長選択フィルタを透過した後の前記光信号を前記基準軸に沿って出射し、
前記第１の側面は、前記第１の端と前記第３の端との間に延在し、
前記第２の側面は、前記第２の端と前記第４の端との間に延在し、
前記第１の側面と前記第２の側面とは、何れも、基準面に沿って延び、
前記基準面は、前記実装面に垂直であり、
前記基準面は、前記入射面に入射した前記光信号の屈折方向に沿って延び、
前記光信号は、前記光源から前記入射面に入射した後に、前記波長選択フィルタを透過し、前記出射面から前記基準軸に沿って出射される、
ことを特徴とする光送信モジュール。
【請求項２】
前記基準面は、前記入射面に対する前記光信号の入射角が前記入射面における前記光信号の屈折角よりも大きい場合、前記入射角と前記屈折角との差の角度で前記基準軸から傾斜するように、前記入射面から前記出射面に向けて延びている、
ことを特徴とする請求項１に記載の光送信モジュール。
【請求項３】
前記波長選択フィルタを含む複数の光素子を備え、
前記複数の光素子は、前記実装面に設けられ、
前記実装面には、複数の溝が設けられ、
前記複数の溝のそれぞれは、前記複数の光素子の何れかに接している、
ことを特徴とする請求項１又は請求項２に記載の光送信モジュール。
【発明の詳細な説明】
【技術分野】
【０００１】
本発明は、光送信モジュールに関する。
【背景技術】
【０００２】
特許文献１は、光デバイスを開示する。特許文献１の光デバイスは、光分波器を備える。光分波器は、筐体とコリメートレンズと複数の波長選択手段と複数の集光レンズと複数の受光部とを備える。筐体は、筒状である。複数の波長選択手段は、光の伝搬路の上において、ほぼ等間隔に配置される。波長選択手段の一の面は、コリメートレンズの側に向けて配置される。この面と、光の伝搬路との成す角度は、４５度である。
【先行技術文献】
【特許文献】
【０００３】
【特許文献１】特開２００５−１４０９６０号公報
【特許文献２】特願２０１２−１２１２７０号公報
【発明の概要】
【発明が解決しようとする課題】
【０００４】
波長選択フィルタに入射する光の入射位置と入射角度のうち、波長選択フィルタがその機能を果たす範囲を、波長選択フィルタのアパーチャとすると、アパーチャは、波長選択フィルタの形状によって、制限される場合がある。また、アパーチャを透過するためには、入射光の入射角度が大きいと入射位置は厳しく制限されてその位置ずれ許容量は小さくなり、逆にほぼ垂直に入射する場合には入射位置の位置ずれ許容量は大きくなる。例えば、波長選択フィルタの実装面の上から見た波長選択フィルタの形状が長方形であって、波長選択フィルタの入射面（長方形の長辺）が入射光に対し傾斜している場合、波長選択フィルタの入射面における入射光の入射位置の許容範囲は、たとえ入射面が大きな波長選択フィルタを用意しても、波長選択フィルタ内を光が斜めに進むため、その入射面を有効に活用することはできず、入射面や出射面の大きさに比較して、入射光の入射位置の許容ズレ量は小さい。入射位置の許容範囲が小さいほど、波長選択フィルタの調心代を十分に確保することは、困難となる。
【０００５】
波長選択フィルタの実装面の上から見た波長選択フィルタの形状が長方形の場合に、波長選択フィルタの入射面に対する入射光の位置ずれ許容量を大きくするには、例えば、実装面の上から見た波長選択フィルタの厚みを減らす（長方形の短辺を低減する）、ことがある。しかし、波長選択フィルタの厚みを減らすと、波長選択フィルタの剛性が低下するので、波長選択フィルタに設けられたＷＤＭフィルタ（ＷＤＭ：Ｗａｖｅｌｅｎｇｔｈ  Ｄｉｖｉｓｉｏｎ  Ｍｕｌｔｉｐｌｅｘｉｎｇ）の内部応力によって、波長選択フィルタの本体のフィルタガラスが変形（湾曲）する場合があり、波長選択フィルタの光特性（特に反射光に対する光特性）は、劣化する。
【０００６】
また、波長選択フィルタの実装面の上から見た波長選択フィルタの形状が長方形の場合に、波長選択フィルタの入射面に対する入射光の位置ずれ許容量を大きくするには、例えば、キューブ状の波長選択フィルタ（ＰＢＳ）を用いることが、ある。しかし、キューブ状のＰＢＳの場合、入射面と４５度の角度を成す斜面に誘電体多層膜を形成した三角柱の部分と、別途用意した三角柱の部品を斜面で貼付して組み立てるため、研磨が必要な光の入射面と、研磨が必要な光の出射面と、誘電体多層膜が形成されて接着される面の、合計で３面以上となり、比較的に多い。このように、研磨の必要な面が比較的に多い場合、加工に手間がかかる。更に、キューブ状のＰＢＳは、部品単価が高い。更に、キューブ状のＰＢＳの場合、入射面及び出射面は、光の進行路に対し垂直に配置されるので、入射光及び出射光を反射する場合がある。キューブ状のＰＢＳを用いた場合、このような反射光の考慮が必要になるので、装置構成が複雑になり、コスト高となる。
【０００７】
そこで、本発明の目的は、上記の事項を鑑みてなされたものであり、製造コストを低減できる光送信モジュールを提供することである。
【課題を解決するための手段】
【０００８】
本発明に係る光送信モジュールは、光源と波長選択フィルタとを備え、前記光源と前記波長選択フィルタとは、基板の実装面に設けられ、前記光源と前記波長選択フィルタとは、基準軸に沿って設けられ、前記基準軸は、前記実装面に平行に、前記基板の第１の端部から第２の端部に延びており、前記光源は、前記基準軸に沿って光信号を出射し、前記波長選択フィルタは、入射面と出射面と第１の側面と第２の側面とを備え、前記波長選択フィルタは、前記光信号の波長を含み予め設定された波長範囲にある波長の光を透過し、前記波長選択フィルタは、前記光源から前記光信号を受けると、前記光信号を前記基準軸に沿って出射し、前記入射面は、第１の端と第２の端とを備え、前記入射面は、前記実装面に垂直であり、前記入射面は、前記基準軸に垂直な面から傾斜し、前記入射面は、前記光信号を受け、前記出射面は、第３の端と第４の端とを備え、前記出射面は、前記入射面に沿って延び、前記出射面は、前記波長選択フィルタを透過した後の前記光信号を前記基準軸に沿って出射し、前記第１の側面は、前記第１の端と前記第３の端との間に延在し、前記第２の側面は、前記第２の端と前記第４の端との間に延在し、前記第１の側面と前記第２の側面とは、何れも、基準面に沿って延び、前記基準面は、前記実装面に垂直であり、前記基準面は、前記入射面に入射した前記光信号の屈折方向に沿って延び、前記光信号は、前記光源から前記入射面に入射した後に、前記波長選択フィルタを透過し、前記出射面から前記基準軸に沿って出射される、ことを特徴とする。
【０００９】
本発明によれば、第１の側面と第２の側面９１ｄとが、入射面に入射した光信号の屈折方向に沿って延びているので、従来のように側面が入射面に垂直に延びている場合に比較して、波長選択フィルタのアパーチャが広い。換言すれば、一定のアパーチャを実現するために必要な波長選択フィルタの形状、具体的には、実装面の上から見た波長選択フィルタの表面の面積は、従来のように側面が入射面に垂直に延びている場合に比較して、低減される。従って、波長選択フィルタを用いれば、波長選択フィルタの形状をコンパクトにできるので、限られた面積の実装面を、有効に利用できる。また、従来に比較してコンパクトな形状の波長選択フィルタを用いれば、波長選択フィルタの実装面に配置する作業が容易となり、よって、光送信モジュールの製造コストを低減できる。また、アパーチャは、基準軸に沿った波長選択フィルタの厚み（入射面と出射面との間隔）によらないので、一定のアパーチャを確保しつつ波長選択フィルタの剛性も十分に確保できるように、波長選択フィルタは、基準軸に沿った厚みを備えることができる。また、波長選択フィルタの場合、研磨の必要な面は、入射面と出射面との二面なので、三面以上の研磨が必要となる従来のキューブ状のＰＢＳに比較して、実装に手間がかからず、よって、光送信モジュールの製造コストを低減できる。
【００１０】
本発明において、前記基準面は、前記入射面に対する前記光信号の入射角が前記入射面における前記光信号の屈折角よりも大きい場合、前記入射角と前記屈折角との差の角度で前記基準軸から傾斜するように、前記入射面から前記出射面に向けて延びている。従って、側面の傾きは、光信号の入射角と屈折角とによって、規定できる。
【００１１】
本発明では、前記波長選択フィルタを含む複数の光素子を備え、前記複数の光素子は、前記実装面に設けられ、前記実装面には、複数の溝が設けられ、前記複数の溝のそれぞれは、前記複数の光素子の何れかにほぼ接している。このように、光素子にほぼ接するように溝が実装面に設けられているので、樹脂を用いて光素子を実装面に固定する場合、余剰の樹脂が溝に流れ込むので、余剰の樹脂が光学素子に流れることを、回避できる。
【発明の効果】
【００１２】
本発明によれば、製造コストを低減できる光送信モジュールを提供できる。
【図面の簡単な説明】
【００１３】
【図１】実施形態に係る光送信モジュールの構成を示す図である。
【図２】実施形態に係る波長選択フィルタの構成を説明するための図である。
【図３】実施形態に係る光サブアセンブリの構成を説明するための図である。
【図４】実施形態に係る波長選択フィルタの光学特性を説明するための図である。
【図５】実施形態に係る光送信モジュールの他の構成を示す図である。
【発明を実施するための形態】
【００１４】
以下、図面を参照して、本発明に係る好適な実施形態について詳細に説明する。なお、図面の説明において、可能な場合には、同一要素には同一符号を付し、重複する説明を省略する。図１は、実施形態に係る光送信モジュール１の構成を示す図である。光送信モジュール１は、波長分割多重通信に用いられる光送信モジュールである。光送信モジュール１は、一例として、四波集積光送信モジュールである。光送信モジュール１は、パッケージ２と、基板３と、回路部４と、光出射部５と、光合波部６と、を備える。パッケージ２は、パッケージ２の内側に、基板３と回路部４と光出射部５と光合波部６とを収容する。基板３と回路部４とは、基準軸Ａｘの方向に沿って、設けられている。基準軸Ａｘは、基板３の実装面３ａに平行に延びている。基準軸Ａｘは、基板３の端部１ａ（第１の端部）から基板３の端部１ｂ（第２の端部）に延びている。光出射部５と光合波部６とは、実装面３ａに設けられている。光出射部５と光合波部６とは、基準軸Ａｘに沿って、設けられている。光出射部５は、基板３の端部１ｂの側に設けられている。光合波部６は、基板３の端部１ａの側に設けられている。図１〜３，５に、ｘ軸、ｙ軸、ｚ軸を備える直交座標系ＯＳが記載されている。基準軸Ａｘは、ｘ軸に平行である。実装面３ａは、ｘｙ面に沿って延びている。光源７１〜７４、光反射板８、波長選択フィルタ９１，９２、偏波回転部品１０、光サブアセンブリ１１は、実装面３ａにおいて、ｚ軸方向（実装面３ａの法線方向）に向けて、立てられている。
【００１５】
光出射部５は、光源７１〜７４と、光反射板８と、波長選択フィルタ９１，９２と、偏波回転部品１０とを備える。光源７１〜７４と、光反射板８と、波長選択フィルタ９１，９２と、偏波回転部品１０とは、実装面３ａに設けられている。光源７１〜７４と、光反射板８と、波長選択フィルタ９１，９２と、偏波回転部品１０とのそれぞれは、光素子である。光源７１〜７４は、基板３の端部１ｂの側（回路部４の側）に設けられている。偏波回転部品１０は、基板３の端部１ａの側（光合波部６の側）に設けられている。光反射板８と、波長選択フィルタ９１，９２とは、光源７１〜７４と、偏波回転部品１０との間に設けられている。光合波部６は、光サブアセンブリ１１を備える。光サブアセンブリ１１は、実装面３ａに設けられている。光サブアセンブリ１１は、光素子である。光サブアセンブリ１１は、偏波回転部品１０とスリーブ１２との間に設けられている。
【００１６】
光源７１は、光源装置７１ａと光学レンズ７１ｂとを備える。光源７１は、基準軸Ａｘに沿って（光路Ｌ１ａに）、光信号Ｓ１ａを出射する。光源装置７１ａは、例えば半導体レーザである。光源装置７１ａは、ｐ偏光の光信号を出力する。光源装置７１ａから出射される光信号は、例えば１２９５．５６ｎｍの中心波長（以下、波長λ１という）を備える。光源装置７１ａは、回路部４に電気的に接続されている。光源装置７１ａは、回路部４からの電気信号に応じて、光信号を出力する。光学レンズ７１ｂは、コリメーとレンズである。光学レンズ７１ｂは、光源装置７１ａから出力される光信号をコリメートし、光信号Ｓ１ａとして、光路Ｌ１ａに出射する。光路Ｌ１ａは、基準軸Ａｘに沿って延びている。光信号Ｓ１ａは、ｐ偏光である。光信号Ｓ１ａの中心波長は、波長λ１である。
【００１７】
光源７２は、光源装置７２ａと光学レンズ７２ｂとを備える。光源７２は、基準軸Ａｘに沿って（光路Ｌ２ａに）、光信号Ｓ２ａを出射する。光源装置７２ａは、例えば半導体レーザである。光源装置７２ａは、ｐ偏光の光信号を出力する。光源装置７２ａから出射される光信号は、例えば１３００．０５ｎｍの中心波長（以下、波長λ２という）を備える。光源装置７２ａは、回路部４に電気的に接続されている。光源装置７２ａは、回路部４からの電気信号に応じて、光信号を出力する。光学レンズ７２ｂは、コリメーとレンズである。光学レンズ７２ｂは、光源装置７２ａから出力される光信号をコリメートし、光信号Ｓ２ａとして、光路Ｌ２ａに出射する。光路Ｌ２ａは、基準軸Ａｘに沿って延びている。光信号Ｓ２ａは、ｐ偏光である。光信号Ｓ２ａの中心波長は、波長λ２である。
【００１８】
光源７３は、光源装置７３ａと光学レンズ７３ｂとを備える。光源７３は、基準軸Ａｘに沿って（光路Ｌ３ａに）、光信号Ｓ３ａを出射する。光源装置７３ａは、例えば半導体レーザである。光源装置７３ａは、ｐ偏光の光信号を出力する。光源装置７３ａから出射される光信号は、例えば１３０４．５８ｎｍの中心波長（以下、波長λ３という）を備える。光源装置７３ａは、回路部４に電気的に接続されている。光源装置７３ａは、回路部４からの電気信号に応じて、光信号を出力する。光学レンズ７３ｂは、コリメーとレンズである。光学レンズ７３ｂは、光源装置７３ａから出力される光信号をコリメートし、光信号Ｓ３ａとして、光路Ｌ３ａに出射する。光路Ｌ３ａは、基準軸Ａｘに沿って延びている。光信号Ｓ３ａは、ｐ偏光である。光信号Ｓ３ａの中心波長は、波長λ３である。
【００１９】
光源７４は、光源装置７４ａと光学レンズ７４ｂとを備える。光源７４は、基準軸Ａｘに沿って（光路Ｌ４ａに）、光信号Ｓ４ａを出射する。光源装置７４ａは、例えば半導体レーザである。光源装置７４ａは、ｐ偏光の光信号を出力する。光源装置７４ａから出射される光信号は、例えば１３０９．１４ｎｍの中心波長（以下、波長λ４という）を備える。光源装置７４ａは、回路部４に電気的に接続されている。光源装置７４ａは、回路部４からの電気信号に応じて、光信号を出力する。光学レンズ７４ｂは、コリメートレンズである。光学レンズ７４ｂは、光源装置７４ａから出力される光信号をコリメートし、光信号Ｓ４ａとして、光路Ｌ４ａに出射する。光路Ｌ４ａは、基準軸Ａｘに沿って延びている。光信号Ｓ４ａは、ｐ偏光である。光信号Ｓ４ａの中心波長は、波長λ４である。
【００２０】
波長選択フィルタ９１は、光路Ｌ１ａの上に設けられている。光源７１と波長選択フィルタ９１とは、基準軸Ａｘに沿って（光路Ｌ１ａの上に）、設けられている。波長選択フィルタ９１は、入射面９１ａと、出射面９１ｂと、側面９１ｃと、側面９１ｄと、フィルタガラス９１１と、ＷＤＭフィルタ９１２とを備える。波長選択フィルタ９１は、光信号Ｓ１ａの波長を含み予め設定された波長範囲にある波長の光（すなわち、光信号Ｓ１ａの波長λ１を含み光信号Ｓ２ａの波長λ２と光信号Ｓ３ａの波長λ３と光信号Ｓ４ａの波長λ４とを含まない波長範囲にある波長の光）を、透過する（図４の（Ａ）部を参照）。波長選択フィルタ９１は、光源７１から光信号Ｓ１ａを受けると、光信号Ｓ１ａを透過し、光信号Ｓ１ａを、出射面９１ｂから基準軸Ａｘに沿って（光路Ｌ１ｂに）、出射する。光路Ｌ１ｂは、基準軸Ａｘに沿って延びている。入射面９１ａは、フィルタガラス９１１の面である。入射面９１ａは、光信号Ｓ１ａを受ける。光信号Ｓ１ａは、光路Ｌ１ａから入射面９１ａを介して波長選択フィルタ９１に入射する。出射面９１ｂは、ＷＤＭフィルタ９１２の面である。光信号Ｓ１ａは、フィルタガラス９１１とＷＤＭフィルタ９１２とを透過し、出射面９１ｂから、光路Ｌ１ｂに出射される。フィルタガラス９１１は、入射面９１ａの側に設けられ、ＷＤＭフィルタ９１２は、出射面９１ｂの側に設けられている。波長選択フィルタ９１は、光路Ｌ３ｂから出射面９１ｂに入射する光信号Ｓ３ａを、出射面９１ｂにおいて光路Ｌ１ｂに向けて反射する。光信号Ｓ１ｂは、波長選択フィルタ９１から出射面９１ｂを介して光路Ｌ１ｂに出射される。光信号Ｓ１ｂは、波長選択フィルタ９１を透過した光信号Ｓ１ａと、出射面９１ｂにおいて反射された光信号Ｓ３ａとの合波である。光信号Ｓ１ｂは、ｐ偏光である。
【００２１】
波長選択フィルタ９２は、光路Ｌ２ａの上に設けられている。光源７２と波長選択フィルタ９２とは、基準軸Ａｘに沿って（光路Ｌ２ａの上に）、設けられている。波長選択フィルタ９２は、入射面９２ａと、出射面９２ｂと、側面９２ｃと、側面９２ｄと、フィルタガラス９２１と、ＷＤＭフィルタ９２２とを備える。波長選択フィルタ９２は、光信号Ｓ２ａの波長を含み予め設定された波長範囲にある波長の光（すなわち、光信号Ｓ１ａの波長λ１と光信号Ｓ２ａの波長λ２とを含み光信号Ｓ３ａの波長λ３と光信号Ｓ４ａの波長λ４とを含まない波長範囲にある波長の光）を、透過する（図４の（Ｂ）部を参照）。波長選択フィルタ９２は、光源７２から光信号Ｓ２ａを受けると、光信号Ｓ２ａを透過し、光信号Ｓ２ａを、出射面９２ｂから基準軸Ａｘに沿って（光路Ｌ２ｂに）、出射する。光路Ｌ２ｂは、基準軸Ａｘに沿って延びている。入射面９２ａは、フィルタガラス９２１の面である。入射面９２ａは、光信号Ｓ２ａを受ける。光信号Ｓ２ａは、光路Ｌ２ａから入射面９２ａを介して波長選択フィルタ９２に入射する。出射面９２ｂは、ＷＤＭフィルタ９２２の面である。光信号Ｓ２ａは、フィルタガラス９２１とＷＤＭフィルタ９２２とを透過し、出射面９２ｂから、光路Ｌ２ｂに出射される。フィルタガラス９２１は、入射面９２ａの側に設けられ、ＷＤＭフィルタ９２２は、出射面９２ｂの側に設けられている。波長選択フィルタ９２は、光路Ｌ４ｂから出射面９２ｂに入射する光信号Ｓ４ａを、出射面９２ｂにおいて光路Ｌ２ｂに向けて反射する。光信号Ｓ２ｂは、波長選択フィルタ９２から出射面９２ｂを介して光路Ｌ２ｂに出射される。光信号Ｓ２ｂは、波長選択フィルタ９２を透過した光信号Ｓ２ａと、出射面９２ｂにおいて反射された光信号Ｓ４ａとの合波である。光信号Ｓ２ｂは、ｐ偏光である。
【００２２】
図２を参照して、波長選択フィルタ９１の構成を詳細に説明する。波長選択フィルタ９２は、図４の（Ａ）部と図４の（Ｂ）部とに示す光学特性を除いて、波長選択フィルタ９１と同様の構成を備える。
【００２３】
波長選択フィルタ９１は、入射面９１ａと出射面９１ｂと側面９１ｃ（第１の側面）と側面９１ｄ（第２の側面）とを備える。入射面９１ａは、端９１ａ１（第１の端）と端９１ａ２（第２の端）とを備える。入射面９１ａは、実装面３ａに垂直である。入射面９１ａは、基準軸Ａｘに垂直な基準面ＳＦ２から傾斜している。入射面９１ａは、光信号Ｓ１ａを受ける。出射面９１ｂは、端９１ｂ１（第３の端）と端９１ｂ２（第４の端）とを備える。出射面９１ｂは、入射面９１ａに沿って延びている。出射面９１ｂは、波長選択フィルタ９１を透過した後の光信号Ｓ１ａを、基準軸Ａｘに沿って（光路Ｌ１ｂに）、出射する。光信号Ｓ１ａは、光源７１から入射面９１ａに入射した後に、波長選択フィルタ９１を透過し、出射面９１ｂから基準軸Ａｘに沿って（光路Ｌ１ｂに）、出射される。図１及び図２に示す光信号Ｓ１ｂは、出射面９１ｂから出射される。光信号Ｓ１ｂは、波長選択フィルタ９１を透過した後の光信号Ｓ１ａと、出射面９１ｂによって反射された光信号Ｓ３ａとの合波である。
【００２４】
側面９１ｃは、端９１ａ１と端９１ｂ１との間に延在する。側面９１ｄは、端９１ａ２と端９１ｂ２との間に延在する。側面９１ｃと側面９１ｄとは、何れも、基準面ＳＦ１に沿って延びる。基準面ＳＦ１は、実装面３ａに垂直である。基準面ＳＦ１は、光路Ｌ１ａｂに沿って延びる。光路Ｌ１ａｂは、入射面９１ａに入射した光信号Ｓ１ａが入射面９１ａにおいて屈折した後に、フィルタガラス９１１の内部を進む光路である。光路Ｌ１ａｂは、入射面９１ａにおける光信号Ｓ１ａの屈折方向に対応する。
【００２５】
基準面ＳＦ１は、例えば入射面９１ａに対する光信号Ｓ１ａの入射角αが入射面９１ａにおける光信号Ｓ１ａの屈折角βよりも大きい場合、入射角αと屈折角βとの差の傾斜角γ（γ＝α−β）で基準軸Ａｘから傾斜するように、入射面９１ａから出射面９１ｂに向けて延びている。入射角αは、光路Ｌ１ａと法線Ｎｘとの間の角度（鋭角）である。屈折角βは、光路Ｌ１ａｂと法線Ｎｘとの間の角度（鋭角）である。
【００２６】
波長選択フィルタ９１を用いた場合、側面９１ｃと側面９１ｄとが、入射面９１ａに入射した光信号Ｓ１ａの屈折方向に沿って延びているので、従来のように側面が入射面に垂直に延びている場合に比較して、アパーチャＡｐが広い。換言すれば、一定のアパーチャＡｐを実現するために必要な波長選択フィルタ９１の形状、具体的には、実装面３ａの上から見た波長選択フィルタ９１の表面の面積は、従来のように側面が入射面に垂直に延びている場合に比較して、低減される。従って、波長選択フィルタ９１を用いれば、波長選択フィルタの形状をコンパクトにできるので、限られた面積の実装面３ａを、有効に利用できる。また、従来に比較してコンパクトな形状の波長選択フィルタ９１を用いれば、波長選択フィルタ９１の実装面３ａに配置する作業が容易となり、よって、光送信モジュール１の製造コストを低減できる。また、アパーチャＡｐは、基準軸Ａｘに沿った波長選択フィルタ９１の厚み（入射面９１ａと出射面９１ｂとの間隔）によらないので、一定のアパーチャＡｐを確保しつつ波長選択フィルタ９１の剛性も十分に確保できるように、波長選択フィルタ９１は、基準軸Ａｘに沿った厚みを備えることができる。また、波長選択フィルタ９１の場合、研磨の必要な面は、入射面９１ａと出射面９１ｂとの二面なので、三面以上の研磨が必要となる従来のキューブ状のＰＢＳに比較して、実装に手間がかからず、よって、光送信モジュール１の製造コストを低減できる。波長選択フィルタ９２も、波長選択フィルタ９１と同様の構成を備えるので、波長選択フィルタ９１と同様の作用を奏する。また、側面９１ｃの傾きと側面９１ｄの傾きとは、光信号Ｓ１ａの入射面９１ａに対する入射角αと、入射面９１ａにおける光信号Ｓ１ａの屈折角βとの差の傾斜角γによって、規定できる。また、波長選択フィルタ９１の入射面９１ａ、出射面９１ｂと、波長選択フィルタ９２の入射面９２ａ、出射面９２ｂと、光反射板８の反射面８ａと、光サブアセンブリ１１の入射面１１１、出射面１１２とは、同一の方向に沿って延びている。このように、光反射板８、波長選択フィルタ９１、波長選択フィルタ９２、光サブアセンブリ１１は、同一の方向に延びるように、実装面３ａに配置されるので、光反射板８、波長選択フィルタ９１、波長選択フィルタ９２、光サブアセンブリ１１を実装面３ａに実装することが、容易となる。
【００２７】
図１に戻って説明する。光反射板８は、光路Ｌ３ａの上に設けられている。光反射板８は、光路Ｌ４ａの上に設けられている。光反射板８は、反射面８ａにおいて、光路Ｌ３ａを、光路Ｌ３ｂに転換する。光反射板８は、反射面８ａにおいて、光路Ｌ４ａを、光路Ｌ４ｂに転換する。光反射板８は、例えば、金属ミラー、又は、ガラスに設けられた誘電体多層膜ミラーを備える。光路Ｌ３ｂは、光路Ｌ３ａに、直交する。光路Ｌ４ｂは、光路Ｌ４ｂに、直交する。光路Ｌ３ｂは、波長選択フィルタ９１の出射面９１ｂに交差する。光路Ｌ４ｂは、波長選択フィルタ９２の出射面９２ｂに交差する。
【００２８】
偏波回転部品１０は、１／２波長板である。偏波回転部品１０は、複屈折ポリマーをガラス板で挟んだ構成、又は、水晶板を張り合わせた構成、を備える。偏波回転部品１０を通過した光は、偏波面が９０度回転される。即ち、ｐ偏光の光は、偏波回転部品１０を通過することによって、ｓ偏光の光に転換される。偏波回転部品１０は、光路Ｌ２ｂの上に設けられている。偏波回転部品１０は、光路Ｌ２ｂから、ｐ偏光の光信号Ｓ２ｂを受けると、ｐ偏光の光信号Ｓ２ｂをｓ偏光の光信号Ｓ２ｃに転換し、光信号Ｓ２ｃを、光路Ｌ２ｃに出射する。光路Ｌ２ｃは、基準軸Ａｘに沿って延びる。
【００２９】
光サブアセンブリ１１は、光路Ｌ１ｂの上に設けられている。光サブアセンブリ１１は、光路Ｌ２ｃの上に設けられている。光サブアセンブリ１１は、光路Ｌ１ｂから光信号Ｓ１ｂを受け、光路Ｌ２ｃから光信号Ｓ２ｃを受けると、出射面１１２から光信号Ｓ５を光路Ｌ５に出射する。光信号Ｓ５は、光信号Ｓ１ｂと光信号Ｓ２ｃとの合波である。光路Ｌ５は、基準軸Ａｘに沿って延びている。光路Ｌ５は、光サブアセンブリ１１の出射面１１２から、パッケージ２に接続されるスリーブ１２を介して、スリーブ１２に接続される光ファイバＦに至るまで、延びる。
【００３０】
図３を参照して、光サブアセンブリ１１の構成を詳細に説明する。光サブアセンブリ１１は、ガラスブロック１１ａと、波長選択フィルタ１１ｂと、光反射膜１１ｃとを備える。ガラスブロック１１ａは、入射面１１１と、出射面１１２とを備える。出射面１１２は、入射面１１１の反対側にあり、実装面３ａに直交する。波長選択フィルタ１１ｂは、入射面１１１に設けられる。波長選択フィルタ１１ｂは、入射面１１１の一部（例えば、１／２）を覆う。光路Ｌ１ｂは、波長選択フィルタ１１ｂを介して、入射面１１１と交差する。光路Ｌ２ｃは、入射面１１１と直接交差する。光反射膜１１ｃは、出射面１１２に設けられる。光反射膜１１ｃは、出射面１１２の一部（例えば、１／２）を覆う。光路Ｌ５は、出射面１１２に直接交差する。ガラスブロック１１ａは、例えば、直方体の外形を有する光学的に透明なガラス部材からなる。波長選択フィルタ１１ｂは、ｐ偏光の光を透過し、ｓ偏光の光を遮断する（図４の（Ｃ）部を参照）。光反射膜１１ｃは、光信号Ｓ２ｃを反射する。
【００３１】
光サブアセンブリ１１を製造する方法の一例を説明する。まず、直方体の張り合わせガラスブロック１１ａを準備する。次に、ガラスブロック１１ａの入射面１１１の全面に波長選択フィルタ（波長選択フィルタ１１ｂに対応）を形成する。次に、ガラスブロック１１ａの出射面１１２の全面に光反射膜（光反射膜１１ｃに対応）を形成する。次に、ガラスブロック１１ａの入射面１１１において、光路Ｌ２ｃに交差する領域を覆う波長選択フィルタを研磨等により除去し、ガラスブロック１１ａの入射面１１１の一部（光路Ｌ２ｃと交差する領域）を露出させる。この研磨によって、波長選択フィルタ１１ｂが最終的に形成される。次に、ガラスブロック１１ａの出射面１１２において、光路Ｌ５に交差する領域を覆う光反射膜を研磨等により除去し、ガラスブロック１１ａの出射面１１２の一部（光路Ｌ５と交差する領域）を露出させる。この研磨によって、光反射膜１１ｃが最終的に形成される。このようにして、光サブアセンブリ１１が製造される。なお、光サブアセンブリ１１は、直方体の形状を有するガラスブロック１１ａと、波長選択フィルタ１１ｂと、光反射膜１１ｃとが一体に形成された構成を備えていてもよい。
【００３２】
スリーブ１２は、光路Ｌ５の上に位置するように、パッケージ２に接続される。光路Ｌ５は、スリーブ１２を介して、スリーブ１２に接続される光ファイバＦに至る。スリーブ１２は、アイソレータ１２ａ、光学レンズ１２ｂ、フェルール１２ｃを備える。アイソレータ１２ａは、偏波面に依存しない偏波無依存アイソレータである。アイソレータ１２ａ、光学レンズ１２ｂ、フェルール１２ｃは、光路Ｌ５の上に、位置する。光サブアセンブリ１１の出射面１１２から出射される光信号Ｓ５は、光路Ｌ５に沿って、アイソレータ１２ａ、光学レンズ１２ｂ、フェルール１２ｃを通過し、光ファイバＦに至る。
【００３３】
図５に、光送信モジュール１の変形例を示す。図５に示す光送信モジュール１＿１は、光送信モジュール１に対し溝Ｍ１〜Ｍ３が加えられている。溝Ｍ１〜Ｍ３を除き、光送信モジュール１＿１は、光送信モジュール１と同様である。溝Ｍ１〜Ｍ３は、実装面３ａに設けられる。実装面３ａは、溝Ｍ１〜Ｍ３を備えることができる。溝Ｍ１は、波長選択フィルタ９１、及び、波長選択フィルタ９２に、ほぼ接している。溝Ｍ２は、偏波回転部品１０、及び、光反射板８に、ほぼ接している。溝Ｍ３は、光サブアセンブリ１１、及び、偏波回転部品１０に、ほぼ接している。
【００３４】
光送信モジュール１＿１の場合、光反射板８、波長選択フィルタ９１、波長選択フィルタ９２、偏波回転部品１０、光サブアセンブリ１１等の複数の光素子のそれぞれにほぼ接するように溝Ｍ１〜Ｍ３のそれぞれが実装面３ａに設けられているので、光反射板８、波長選択フィルタ９１、波長選択フィルタ９２、偏波回転部品１０、光サブアセンブリ１１のそれぞれを、樹脂を用いて、実装面３ａに固定する場合、余剰の樹脂が、溝Ｍ１〜Ｍ３のそれぞれに、流れ込むので、余剰の樹脂が、光反射板８、波長選択フィルタ９１、波長選択フィルタ９２、偏波回転部品１０、光サブアセンブリ１１、等の複数の光学素子に流れることを、回避できる。
【００３５】
波長選択フィルタ９１、波長選択フィルタ９２、波長選択フィルタ１１ｂの光学特性を説明する。図４の（Ａ）部は、波長選択フィルタ９１の光学特性を示す図である。図４の（Ｂ）部は、波長選択フィルタ９２の光学特性を示す図である。図４の（Ｃ）部は、波長選択フィルタ１１ｂの光学特性を示す図である。図４の（Ａ）部〜（Ｃ）部のそれぞれに示す四つの棒グラフは、それぞれ、波長λ１の光信号Ｓ１ａ、波長λ２の光信号Ｓ２ａ、波長λ３の光信号Ｓ３ａ、波長λ４の光信号Ｓ４ａそれぞれの有効帯域を示す。図４の（Ａ）部に示すグラフＧ１は、透過率を示す。図４の（Ｂ）部に示すグラフＧ２は、透過率を示す。図４の（Ｃ）部に示すグラフＧ３は、ｐ偏光に対する透過率を示す。図４の（Ｃ）部に示すグラフＧ４は、ｓ偏光に対する透過率を示す。図中符号Ｄ１は、光信号Ｓ１ａ〜Ｓ４ａの間のアイソレーションを示す。図中符号Ｄ２は、波長λ１の光信号Ｓ１ａ、波長λ２の光信号Ｓ２ａ、波長λ３の光信号Ｓ３ａ、波長λ４の光信号Ｓ４ａそれぞれの有効帯域を示す。
【００３６】
図４の（Ａ）部に示すように、波長選択フィルタ９１の透過率は、波長λ１の光信号Ｓ１ａに対し、高い。波長選択フィルタ９１は、光信号Ｓ１ａの波長λ１を含み、波長λ２の光信号Ｓ２ａ、波長λ３の光信号Ｓ３ａ、波長λ４の光信号Ｓ４ａを含まない波長範囲にある波長の光を透過する。
【００３７】
図４の（Ｂ）部に示すように、波長選択フィルタ９２の透過率は、波長λ１の光信号Ｓ１ａと、波長λ２の光信号Ｓ２ａとに対し、高い。波長選択フィルタ９２は、光信号Ｓ１ａの波長λ１と光信号Ｓ２ａの波長λ２とを含み、波長λ３の光信号Ｓ３ａ、波長λ４の光信号Ｓ４ａを含まない波長範囲にある波長の光を透過する。
【００３８】
図４の（Ｃ）部に示すように、波長選択フィルタ１１ｂは、ｐ偏光の光の透過率は高く、ｓ偏光の光の透過率は低く、ほぼｓ偏光の光を透過しない。
【００３９】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００４０】
１，１＿１…光送信モジュール、１０…偏波回転部品、１１…光サブアセンブリ、１１１，９１ａ，９２ａ…入射面、１１２，９１ｂ，９２ｂ…出射面、１１ａ…ガラスブロック、１１ｂ，９１，９２…波長選択フィルタ、１１ｃ…光反射膜、１２…スリーブ、１２ａ…アイソレータ、１２ｂ…光学レンズ、１２ｃ…フェルール、１ａ，１ｂ…端部、２…パッケージ、３…基板、３ａ…実装面、４…回路部、５…光出射部、６…光合波部、７１，７２，７３，７４…光源、７１ａ，７２ａ，７３ａ，７４ａ…光源装置、７１ｂ，７２ｂ，７３ｂ，７４ｂ…光学レンズ、８…光反射板、８ａ…反射面、９１１，９２１…フィルタガラス、９１２，９２２…ＷＤＭフィルタ、９１ａ１，９１ａ２，９１ｂ１，９１ｂ２，９２ａ１，９２ａ２，９２ｂ１，９２ｂ２…端、９１ｃ，９１ｄ，９２ｃ，９２ｄ…側面、Ａｐ…アパーチャ、Ａｘ…基準軸、Ｆ…光ファイバ、Ｇ１，Ｇ２，Ｇ３，Ｇ４…グラフ、Ｌ１ａ，Ｌ１ａｂ，Ｌ１ｂ，Ｌ２ａ，Ｌ２ｂ，Ｌ２ｃ，Ｌ３ａ，Ｌ３ｂ，Ｌ４ａ，Ｌ４ｂ，Ｌ５…光路、Ｍ１，Ｍ２，Ｍ３…溝、Ｎｘ…法線、ＯＳ…直交座標系、Ｓ１ａ，Ｓ１ｂ，Ｓ２ａ，Ｓ２ｂ，Ｓ２ｃ，Ｓ３ａ，Ｓ４ａ，Ｓ５…光信号、ＳＦ１，ＳＦ２…基準面。
【図１】
2014150224.tif 000003
【図２】
2014150224.tif 000004
【図３】
2014150224.tif 000005
【図４】
2014150224.tif 000006
【図５】
2014150224.tif 000007